(57)【要約】      （修正有）【課題】高度な知識によることなく自身の痛みをより簡単かつ正確に記録することができる技術を提供する。【解決手段】痛みの種類に応じた表示態様の第１部分画像を、人体の一部分を表す痛み情報画像上に付加することの指示を受け付ける入力部と、指示に基づいて、第１部分画像を痛み情報画像上に付加することで痛み情報を生成する痛み情報生成部と、を備える端末装置。【選択図】図１
2019010414.tif 000002
【特許請求の範囲】
【請求項１】
痛みの種類に応じた表示態様の第１部分画像を、人体の一部分を表す痛み情報画像上に付加することの指示を受け付ける入力部と、
前記指示に基づいて、前記第１部分画像を前記痛み情報画像上に付加することで痛み情報を生成する痛み情報生成部と、
を備える端末装置。
【請求項２】
前記第１部分画像は、痛みの種類に応じて異なる色で生成される、
請求項１に記載の端末装置。
【請求項３】
前記第１部分画像は、痛みが広がる方向を表す形状で生成される、
請求項１又は２に記載の端末装置。
【請求項４】
前記入力部は、ユーザからの入力に応じた第２部分画像を付加する指示を受け付け、
前記痛み情報生成部は、前記指示に基づいて、前記第２部分画像を含む前記痛み情報を生成する、
請求項１から３のいずれか一項に記載の端末装置。
【請求項５】
前記痛みの種類は、前記痛みの種類毎に、痛みの態様を示す文字列によって表される、
請求項１から４のいずれか一項に記載の端末装置。
【請求項６】
ネットワークで相互に接続された端末装置及び情報管理サーバを備える痛み記録システムであって、
前記端末装置は、
痛みの種類に応じた表示態様の第１部分画像を、人体の一部分を表す痛み情報画像上に付加することの指示を受け付ける入力部と、
前記指示に基づいて、前記第１部分画像を前記痛み情報画像上に付加することで痛み情報を生成する痛み情報生成部と、
を備え、
前記情報管理サーバは、
前記痛み情報を記憶する痛み情報記憶部と、
前記痛み情報記憶部に記憶された前記痛み情報に基づいて、前記痛みを緩和させる緩和情報を生成する緩和情報生成部と、
を備える、
痛み記録システム。
【請求項７】
端末装置が、痛みの種類に応じた表示態様の第１部分画像を、人体の一部分を表す痛み情報画像上に付加することの指示を受け付ける入力ステップと、
端末装置が、前記指示に基づいて、前記第１部分画像を前記痛み情報画像上に付加することで痛み情報を生成する痛み情報生成ステップと、
を有する痛み記録方法。
【請求項８】
請求項１から５のいずれか一項に記載の端末装置としてコンピュータを機能させるためのコンピュータプログラム。
【発明の詳細な説明】
【技術分野】
【０００１】
本発明は、端末装置、痛み記録システム、痛み記録方法及びコンピュータプログラムに関する。
【背景技術】
【０００２】
痛みを自覚している人々のうち、医療機関を受診した者は患者となる。一方、医療機関を受診しない者は、治療が必要なリスクを持ちながら生活している可能性がある。従来の痛み調査は、患者は一日の記憶を振り返り医師等の専門家に痛みを伝え、専門家が伝えられた情報を記録することで行われることが一般的である。患者の痛みの傾向を知ることは、ストレス、睡眠障害又は鬱等の予防を行うために非常に重要である。さらに、治療が必要な痛みの傾向を知ることは、早期治療を行うためにも非常に重要である。
【先行技術文献】
【特許文献】
【０００３】
【特許文献１】特開２００５−５８３９８号公報
【特許文献２】特開２０１１−１１５３９０号公報
【特許文献３】特開２０１６−１９８１９７号公報
【特許文献４】特開２０１０−１７２５５９号公報
【発明の概要】
【発明が解決しようとする課題】
【０００４】
しかしながら、患者は医師等の専門家による高度な知識によらなければ、自身の痛みを記録することが難しいという問題があった。
【０００５】
上記事情に鑑み、本発明は、高度な知識によることなく自身の痛みをより簡単かつ正確に記録することができる技術を提供することを目的としている。
【課題を解決するための手段】
【０００６】
本発明の一態様は、痛みの種類に応じた表示態様の第１部分画像を、人体の一部分を表す痛み情報画像上に付加することの指示を受け付ける入力部と、前記指示に基づいて、前記第１部分画像を前記痛み情報画像上に付加することで痛み情報を生成する痛み情報生成部と、を備える端末装置である。
【０００７】
本発明の一態様は、上記の端末装置であって、前記第１部分画像は、痛みの種類に応じて異なる色で生成される。
【０００８】
本発明の一態様は、上記の端末装置であって、前記第１部分画像は、痛みが広がる方向を表す形状で生成される。
【０００９】
本発明の一態様は、上記の端末装置であって、前記入力部は、ユーザからの入力に応じた第２部分画像を付加する指示を受け付け、前記痛み情報生成部は、前記指示に基づいて、前記第２部分画像を含む前記痛み情報を生成する。
【００１０】
本発明の一態様は、上記の端末装置であって、前記痛みの種類は、前記痛みの種類毎に、痛みの態様を示す文字列によって表される。
【００１１】
本発明の一態様は、ネットワークで相互に接続された端末装置及び情報管理サーバを備える痛み記録システムであって、前記端末装置は、痛みの種類に応じた表示態様の第１部分画像を、人体の一部分を表す痛み情報画像上に付加することの指示を受け付ける入力部と、前記指示に基づいて、前記第１部分画像を前記痛み情報画像上に付加することで痛み情報を生成する痛み情報生成部と、を備え、前記情報管理サーバは、前記痛み情報を記憶する痛み情報記憶部と、前記痛み情報記憶部に記憶された前記痛み情報に基づいて、前記痛みを緩和させる緩和情報を生成する緩和情報生成部と、を備える、痛み記録システムである。
【００１２】
本発明の一態様は、端末装置が、痛みの種類に応じた表示態様の第１部分画像を、人体の一部分を表す痛み情報画像上に付加することの指示を受け付ける入力ステップと、端末装置が、前記指示に基づいて、前記第１部分画像を前記痛み情報画像上に付加することで痛み情報を生成する痛み情報生成ステップと、を有する痛み記録方法である。
【００１３】
本発明の一態様は、上記の端末装置としてコンピュータを機能させるためのコンピュータプログラムである。
【発明の効果】
【００１４】
本発明により、高度な知識によることなく自身の痛みをより簡単かつ正確に伝えることが可能となる。
【図面の簡単な説明】
【００１５】
【図１】痛み記録システム１の構成を表すシステム構成図である。
【図２】第１端末装置１００の機能構成を表す機能ブロック図である。
【図３】痛み情報管理サーバ２００の機能構成を表す機能ブロック図である。
【図４】第２端末装置３００の機能構成を表す機能ブロック図である。
【図５】第１端末装置１００に表示される痛み情報の一具体例を示す図である。
【図６】履歴生成部１１６によって生成された履歴情報の一具体例を示す図である。
【図７】痛み情報を生成する処理の流れを示すフローチャートである。
【図８】痛み情報に矢印のチェックボックスを付加した場合の一具体例を示す図である。
【図９】痛みの程度をＶＡＳで示した場合の一具体例を示す図である。
【発明を実施するための形態】
【００１６】
図１は、痛み記録システム１の構成を表すシステム構成図である。痛み記録システム１は、第１端末装置１００、痛み情報管理サーバ２００及び第２端末装置３００を備える。第１端末装置１００、痛み情報管理サーバ２００及び第２端末装置３００は、ネットワーク４００を介して互いに通信可能に接続される。
【００１７】
第１端末装置１００は、ユーザによって記録された痛み情報を痛み情報管理サーバ２００に送信する。痛み情報管理サーバ２００は、受信した痛み情報を記録する。痛み情報管理サーバ２００は、記録された痛み情報に基づいて、痛み緩和方法等の情報を生成し、第１端末装置１００に送信する。第２端末装置３００は、痛み情報管理サーバ２００に記録された痛み情報を取得する。第２端末装置３００のユーザは、取得した痛み情報に基づいて、第１端末装置に診断結果等の情報を送信する。ネットワーク４００は、どのようなネットワークで構築されてもよい。例えば、ネットワーク４００は、インターネットで構成されてもよい。第１端末装置１００のユーザは、身体に痛みを有する患者である。第２端末装置３００のユーザは、医師等の専門知識を有する者である。
【００１８】
図２は、第１端末装置１００の機能構成を表す機能ブロック図である。第１端末装置１００は、スマートフォン、タブレットコンピュータ又はパーソナルコンピュータ等の情報処理装置を用いて構成される。第１端末装置１００は、バスで接続されたＣＰＵ（Central Processing Unit）やメモリや補助記憶装置などを備える。第１端末装置１００は、端末装置の一態様である。
【００１９】
通信部１０１は、ネットワークインタフェースである。通信部１０１はネットワーク４００を介して、痛み情報管理サーバ２００及び第２端末装置３００と通信する。通信部１０１は、例えば無線ＬＡＮ（Local Area Network）、有線ＬＡＮ、Ｂｌｕｅｔｏｏｔｈ（登録商標）又はＬＴＥ（Long Term Evolution）（登録商標）等の通信方式で通信してもよい。
【００２０】
入力部１０２は、タッチパネル、マウス及びキーボード等の入力装置を用いて構成される。入力部１０２は、入力装置を第１端末装置１００に接続するためのインタフェースであってもよい。この場合、入力部１０２は、入力装置において入力された入力信号から入力データ（例えば、第１端末装置１００に対する指示を示す指示情報）を生成し、第１端末装置１００に入力する。
【００２１】
表示部１０３は、ＣＲＴ（Cathode Ray Tube）ディスプレイ、液晶ディスプレイ、有機ＥＬ（Electro Luminescence）ディスプレイ等の出力装置である。表示部１０３は、出力装置を第１端末装置１００に接続するためのインタフェースであってもよい。この場合、表示部１０３は、映像データから映像信号を生成し自身に接続されている映像出力装置に映像信号を出力する。表示部１０３と入力部１０２とは一体のタッチパネルとして構成されてもよい。
【００２２】
撮像部１０４は、カメラ等の既存の撮像装置である。撮像部１０４は、撮像された被写体の画像データを生成する。撮像部１０４は、撮像装置を第１端末装置１００に接続するためのインタフェースであってもよい。この場合、撮像部１０４は、撮像装置において撮像された撮像信号から画像データを生成し、第１端末装置１００に入力する。
【００２３】
照度取得部１０５は、照度計等の既存の照度測定装置である。照度取得部１０５は、照度測定装置を第１端末装置１００に接続するためのインタフェースであってもよい。この場合、照度取得部１０５は、照度測定装置において測定された照度情報から照度値を生成し、第１端末装置１００に入力する。
【００２４】
人体画像記憶部１０６は、複数の人体画像を記憶する。人体画像記憶部１０６は、磁気ハードディスク装置や半導体記憶装置等の記憶装置を用いて構成される。人体画像は、腕、背中又頭等の人体の一部分を表す画像である。人体画像記憶部１０６は、予め人体画像を記憶する。
【００２５】
痛み情報記憶部１０７は、痛み情報を記憶する。痛み情報記憶部１０７は、磁気ハードディスク装置や半導体記憶装置等の記憶装置を用いて構成される。痛み情報は、痛みを有する人体の一部分（以下「患部」という。）を表す画像と、痛みに関する情報とを含む。痛みに関する情報は、患部の痛みの種類（例えば、ジンジン、ビリビリ又はズキズキ等）を表す。
【００２６】
制御部１１０は、第１端末装置１００の各部の動作を制御する。制御部１１０は、例えばＣＰＵ及びＲＡＭ（Random Access Memory）を備えた装置により実行される。制御部１１０は、痛み記録プログラムを実行することによって、痛み情報画像生成部１１１、気象情報取得部１１２、位置情報取得部１１３、痛み情報生成部１１４、通知部１１５及び履歴生成部１１６として機能する。
【００２７】
痛み情報画像生成部１１１は、撮像部１０４によって撮像された画像データに基づいて痛み情報画像を生成する。痛み情報画像生成部１１１は、生成された痛み情報画像を痛み情報生成部１１４に出力する。痛み情報画像は、例えば、ユーザの患部の画像である。痛み情報画像生成部１１１は、人体画像記憶部１０６に記憶された人体画像を痛み情報画像に用いてもよい。
【００２８】
気象情報取得部１１２は、気象情報を取得する。気象情報は、気温、湿度及び気圧の情報を含む。気象情報取得部１１２は、取得した気象情報を痛み情報生成部１１４に出力する。気象情報取得部１１２は、気象情報をネットワーク４００を介して気象情報配信サーバから取得してもよいし、近隣の基地局装置から取得してもよい。
【００２９】
位置情報取得部１１３は、第１端末装置１００の現在の場所を示す位置情報を取得する。位置情報取得部１１３は、取得した位置情報を痛み情報生成部１１４に出力する。位置情報取得部１１３は、例えば、ＧＰＳ（Global Positioning System）衛星を利用して位置情報を取得してもよいし、近隣の無線ＬＡＮアクセスポイントを利用して位置情報を取得してもよいし、近隣の基地局装置を利用して取得してもよい。
【００３０】
痛み情報生成部１１４は、痛み情報画像、気象情報、位置情報及び照度値に基づいて、痛み情報を生成する。痛み情報生成部１１４は、生成された痛み情報を表示部１０３に表示させる。痛み情報生成部１１４は、ユーザから入力部１０２を介して入力を受付ける。入力は、例えば、痛み情報画像に対して、痛みの場所及び痛みの種類を表す画像を付加する入力指示等である。痛み情報生成部１１４は、生成した痛み情報を痛み情報記憶部１０７に記憶させる。痛み情報生成部１１４は、生成した痛み情報を痛み情報管理サーバ２００に送信してもよい。
【００３１】
通知部１１５は、第１端末装置１００が受信した緩和情報を表示部１０３に表示させる。緩和情報は、例えば、痛みの緩和方法、患部の治療方法又は通院可否の判断結果等のユーザに提供される情報である。緩和情報は、痛み情報に基づいて、痛み情報管理サーバ２００によって生成される。通知部１１５は、緩和情報を受診した場合、音声や振動等でユーザに通知しても良い。
【００３２】
履歴生成部１１６は、痛み情報記憶部１０７に記憶される複数の痛み情報に基づいて、履歴情報を生成する。履歴情報は、例えば、日付毎に並べられた痛み情報の一覧である。履歴生成部１１６は、生成された履歴情報を表示部１０３に表示させる。履歴生成部１１６は、入力部１０２を介してユーザから指示情報を受け付ける。指示情報は、例えば、痛み情報の表示等である。履歴生成部１１６は、受け付けた指示情報に応じた処理を行う。
【００３３】
図３は、痛み情報管理サーバ２００の機能構成を表す機能ブロック図である。痛み情報管理サーバ２００は、サーバ又はパーソナルコンピュータ等の情報処理装置を用いて構成される。痛み情報管理サーバ２００は、バスで接続されたＣＰＵやメモリや補助記憶装置などを備える。
【００３４】
通信部２０１は、ネットワークインタフェースである。通信部２０１はネットワーク４００を介して、第１端末装置１００及び第２端末装置３００と通信する。通信部２０１は、例えば無線ＬＡＮ、有線ＬＡＮ、Ｂｌｕｅｔｏｏｔｈ（登録商標）又はＬＴＥ（登録商標）等の通信方式で通信してもよい。
【００３５】
痛み情報記憶部２０２は、痛み情報を記憶する。痛み情報記憶部２０２は、磁気ハードディスク装置や半導体記憶装置等の記憶装置を用いて構成される。痛み情報は、第１端末装置１００から送信される。
【００３６】
制御部２１０は、痛み情報管理サーバ２００の各部の動作を制御する。制御部２１０は、例えばＣＰＵ及びＲＡＭを備えた装置により実行される。制御部２１０は、痛み記録プログラムを実行することによって、情報提供部２１１として機能する。
【００３７】
情報提供部２１１は、痛み情報記憶部２０２に記憶された痛み情報に基づいて、緩和情報を生成する。緩和情報は、第１端末装置１００から受け付けた痛み情報の痛みを緩和させる方法を含む情報である。情報提供部２１１は、例えば、複数の痛み情報に含まれる気象情報と痛み情報画像との相関関係（例えば、気圧が１０００ｈｐａ未満の場合、頭部に痛みがある）に基づいて、ユーザに頭部の痛み発生の予報を含む緩和情報を生成してもよい。情報提供部２１１は、第２端末装置３００から痛み情報に対する意見を受診した場合、受信した意見を緩和情報に含めても良い。情報提供部２１１は、緩和情報生成部の一態様である。
【００３８】
図４は、第２端末装置３００の機能構成を表す機能ブロック図である。第２端末装置３００は、スマートフォン、タブレットコンピュータ又はパーソナルコンピュータ等の情報処理装置を用いて構成される。第２端末装置３００は、バスで接続されたＣＰＵやメモリや補助記憶装置などを備える。
【００３９】
通信部３０１は、ネットワークインタフェースである。通信部３０１はネットワーク４００を介して、第１端末装置１００及び痛み情報管理サーバ２００と通信する。通信部３０１は、例えば無線ＬＡＮ、有線ＬＡＮ、Ｂｌｕｅｔｏｏｔｈ（登録商標）又はＬＴＥ（登録商標）等の通信方式で通信してもよい。
【００４０】
入力部３０２は、タッチパネル、マウス及びキーボード等の入力装置を用いて構成される。入力部３０２は、入力装置を第２端末装置３００に接続するためのインタフェースであってもよい。この場合、入力部３０２は、入力装置において入力された入力信号から入力データ（例えば、第２端末装置３００に対する指示を示す指示情報）を生成し、第２端末装置３００に入力する。
【００４１】
表示部３０３は、ＣＲＴディスプレイ、液晶ディスプレイ、有機ＥＬディスプレイ等の出力装置である。表示部３０３は、出力装置を第２端末装置３００に接続するためのインタフェースであってもよい。この場合、表示部３０３は、映像データから映像信号を生成し自身に接続されている映像出力装置に映像信号を出力する。
【００４２】
制御部３１０は、第２端末装置３００の各部の動作を制御する。制御部３１０は、例えばＣＰＵ及びＲＡＭを備えた装置により実行される。制御部３１０は、痛み情報取得プログラムを実行することによって、痛み情報取得部３１１として機能する。
【００４３】
痛み情報取得部３１１は、痛み情報管理サーバ２００に対して、痛み情報を要求する。痛み情報取得部３１１は、この要求に応じて痛み情報管理サーバ２００が送信する痛み情報を受信する。痛み情報取得部３１１は、受信した痛み情報を表示部３０３に表示させる。痛み情報取得部３１１は、入力部３０２を介して、第２端末装置３００のユーザ（医師等）から見解情報を受け付ける。見解情報は、表示された痛み情報に対する医師等の見解を示す情報である。見解情報は、例えば、診断結果、通院の可否、痛みの緩和方法である。痛み情報取得部３１１は、見解情報を痛み情報管理サーバ２００に送信する。
【００４４】
図５は、第１端末装置１００に表示される痛み情報の一具体例を示す図である。第１端末装置１００の表示部１０３には、痛み情報を表す画像が表示される。痛み情報を表す画像は、領域５１０、５２０、５３０、５４０、５５０、５６０、５７０及び５８０を含む。図５、６、８及び９では、第１端末装置１００は、入力部１０２と表示部１０３とが一体のタッチパネルとして構成されるものとして説明する。タッチとは、表示部１０３に指又はタッチペン等で触れることをいう。
【００４５】
領域５１０は、痛みの種類を表す一覧表である。痛みの種類は、痛みの種類毎に、痛みの態様を示す文字列と色とによって表される。ユーザは、患部の痛みの種類に応じて、痛みを表す文字列を選択する。例えば、ユーザは、患部がジンジンと痛む場合は、入力部１０２を介して、領域５１０に表示される“ジンジン”をタッチする。領域５１０に表される痛みの種類は、一例であり、他に痛みの種類（例えば、ガンガン）が表示されてもよい。
【００４６】
領域５２０には、痛み情報画像が表示される。ユーザは、領域５２０に表示される痛み情報画像をタッチする。痛み情報画像がタッチされると、領域５１０から選択された色を有する部分画像が痛み情報画像に付加される。領域５２０は、領域５２１及び領域５２２を含む。領域５２１は、ユーザによって付加された色を有する部分画像が含まれる。領域５２１によると、痛み情報画像には、異なる２色の部分画像が付加されている。したがって、ユーザは、現在、２種類の痛みを有することがわかる。
【００４７】
領域５２２は、痛み情報画像に色を有する部分画像を付加するカーソルである。ユーザは、領域５２０の任意の場所をタッチする場合、カーソルは、タッチされた場所に移動する。ユーザは、タッチした場所から指等をスライドさせると、スライドされた軌跡に沿って、領域５１０で選択した色が、部分画像として痛み情報画像に付加される。領域５２２に表示される部分画像は、第１部分画像の一態様である。
【００４８】
領域５３０は、痛みの程度を表すラジオボタンである。ラジオボタンに表示される文言は、痛みの程度を表す。例えば、軽度は、軽い痛みであることを表す。ユーザは、患部の痛みの程度に応じて、ラジオボタンをタッチする。例えば、ユーザは、患部が軽く痛む場合は、入力部１０２を介して、領域５３０に表示される軽度をタッチする。選択された痛みの程度に応じて、痛み情報画像に付加される部分画像の濃度が決定される。例えば、付加される部分画像の濃度は、痛みの程度が重度になるほど、濃くなるように表示されてもよい。
【００４９】
領域５４０は、痛み情報画像に付加される部分画像の幅を表すラジオボタン及びチェックボックスである。ラジオボタンに表示される文言は、幅の広さを表す。例えば、“中”は、中程度の幅で痛み情報画像に部分画像が付加されることを表す。ユーザは、痛みの範囲に応じて、ラジオボタンを選択する。例えば、ユーザは、広い範囲で痛む場合は、入力部１０２を介して、領域５４０に表示される“大”をタッチする。
【００５０】
領域５５０は、痛み情報が生成された日時を表す領域である。日時は、痛み情報が生成された場合、第１端末装置１００の内蔵時計から取得される。なお、日時は、痛み情報が保存された場合に更新されてもよい。日時は、ネットワーク４００を介してＮＴＰ（Network Time Protocol）サーバ等の第１端末装置１００の内蔵時計以外から取得されてもよい。
【００５１】
領域５６０は、気象情報及び照度情報を表す領域である。気象情報は、気象情報取得部１１２が取得した情報が用いられる。照度情報は、照度取得部１０５が取得した情報が用いられる。
【００５２】
領域５７０は、任意の情報を入力可能な領域（以下「フィールド」という。）を表す領域である。ユーザは、領域５７０に表示されるフィールドをタッチする。ユーザが、フィールドをタッチし、指をスライドさせると、スライドされた軌跡に沿って、フィールドに画像が付加される。したがって、ユーザは、文字を書くように指をスライドさせることで、領域５７０に、文字を含む画像を付加できる。なお、ユーザは、付加される画像の色を選択できるように構成されてもよい。フィールドに表示される画像は、第２部分画像の一態様である。
【００５３】
領域５８０は、痛み情報画像に対する指示を表す領域である。領域５８０は、“消す（直前）”、“全消し”及び“保存”を有する。ユーザは、“消す（直前）”をタッチすると、痛み情報画像に付加された色又はフィールドに付加された色のうち、最後に実行された処理が消去される。具体的には、領域５７０に対して「手がきめも」と最後に付加された場合、「手がきめも」の文字が消去される。ユーザは、“全消し”をタッチすると、痛み情報画像に付加された色とフィールドに付加された色とが、消去される。ユーザは、“保存”をタッチすると、痛み情報生成部１１４は、表示部１０３に表示される痛み情報を、痛み情報記憶部１０７に記憶させる。なお、痛み情報生成部１１４は、痛み情報を痛み情報管理サーバ２００に送信してもよい。
【００５４】
図６は、履歴生成部１１６によって生成された履歴情報の一具体例を示す図である。第１端末装置１００の表示部１０３には、履歴情報を表す画像が表示される。履歴情報を表す画像は、領域６１０、及び領域６２０を含む。領域６１０は、履歴情報の年月を表す。領域６１０によると、履歴情報はＹＹＹＹ年Ｍ月の履歴であることがわかる。
【００５５】
領域６２０は、日ごとの履歴情報を表す。領域６２０は、領域６２１、６２２、６２３、６２４、６２５及び６２６を含む。領域６２１は、年月日の“日”を表す。領域６２１によると、履歴情報は、ＹＹＹＹ年Ｍ月１日の履歴情報であることがわかる。領域６２２は、履歴情報に含まれる痛み情報画像を表す。領域６２２の痛み情報画像は、ＹＹＹＹ年Ｍ月１日の痛み情報に含まれる痛み情報画像である。履歴情報に表示される痛み情報の年月日は、図５の領域５５０に含まれる年月日に基づいて決定される。ユーザは、入力部１０２を介して、領域６２２をタッチする。領域６２２がタッチされた場合、痛み情報生成部１１４は、ＹＹＹＹ年Ｍ月１日の痛み情報を表示部１０３に表示させる。
【００５６】
領域６２３は、“ＹＹＹＹ年Ｍ月２日”に記憶された痛み情報を表す履歴情報である。領域６２４は、“ＹＹＹＹ年Ｍ月３日”に記憶された痛み情報を表す履歴情報である。領域６２５は、“ＹＹＹＹ年Ｍ月４日”に記憶された痛み情報を表す履歴情報である。
【００５７】
領域６２６は、“ＹＹＹＹ年Ｍ月５日”を表す履歴情報である。“ＹＹＹＹ年Ｍ月５日”の履歴情報には、痛み情報が記憶されていない。また、領域６２０に表示される日のうち、現在の日は、異なる色で表示される。例えば、図６によると、“ＹＹＹＹ年Ｍ月５日”が現在の日に該当する。
【００５８】
図７は、痛み情報を生成する処理の流れを示すフローチャートである。第１端末装置１００の入力部１０２は、ユーザの指示に応じて、患部イラストの選択を受け付ける患部を撮像する（ステップＳ１０１）。患部イラストは、人体画像記憶部１０６に記憶された人体画像であってもよいし、撮像部１０４によって撮像された患部の画像であってもよい。第１端末装置１００の気象情報取得部１１２は、気象情報を取得する。第１端末装置１００の照度取得部１０５は、照度値を取得する（ステップＳ１０２）。第１端末装置１００の痛み情報画像生成部１１１は、選択された患部イラストに基づいて、痛み情報画像を生成する（ステップＳ１０３）。第１端末装置１００の痛み情報生成部１１４は、痛み情報画像と気象情報と照度値とに基づいて、痛み情報を生成する（ステップＳ１０４）。痛み情報生成部１１４は、生成された痛み情報を表示部１０３に表示させる（ステップＳ１０５）。具体的には、図５の表示部１０３の示されるような画像が表示される。
【００５９】
痛み情報生成部１１４は、入力部１０２を介して、ユーザの指示を受け付ける（ステップＳ１０６）。ユーザの指示は、例えば、痛みの種類、痛みの程度又は線の幅の選択であってもよいし、痛み情報画像に対する部分画像の付加であってもよいし、フィールドへの入力であってもよい。痛み情報生成部１１４は、入力部１０２を介して、保存指示を受け付ける（ステップＳ１０７）。痛み情報生成部１１４は、痛み情報記憶部１０７に痛み情報を記憶させる（ステップＳ１０８）。
【００６０】
＜効果＞
このように構成された痛み記録システム１では、ユーザは、痛みの種類に対応する色、痛みの程度等をタッチする。次に、ユーザは、表示部１０３に表示される痛み情報画像に対して、痛みの場所を指でスライドすることで、痛みの場所と痛みの種類と痛みの程度とを入力する。したがって、ユーザは、医師等の専門家の高度な知識によることなく、より簡単に痛みの記録を行うことができる。なお、痛み情報画像は、撮像部１０４によって撮像された画像ではなく、予め人体画像記憶部１０６に記憶された人体画像を用いられてもよい。このように構成されることで、背中等の一人では撮像できない人体の痛みを記録でき、電車の中やデパート等の公共の場所で痛みが生じた場合でも痛みを記録できる。
【００６１】
＜変形例＞
図８は、痛み情報に矢印のチェックボックスを付加した場合の一具体例を示す図である。第１端末装置１００の表示部１０３には、痛み情報を表す画像が表示される。痛み情報を表す画像は、領域５２０の代わりに領域５２０ａを、領域５４０の代わりに領域５４０ａを含む点で、図５の痛み情報を表す画像とは異なるが、それ以外は同じである。以下、図５と異なる点について説明する。
【００６２】
領域５２０ａは、領域５２１の代わりに領域５２１ａを含む。領域５２１ａは、ユーザによって付加された色及び矢印を表す部分画像である。矢印は、ユーザの患部に痛みが生じた場合、痛みが広がる方向を表す。領域５２１ａによると、ユーザは、痛みが手から肩に向かって広がったことがわかる。ユーザは、領域５２０ａのうち、痛みが生じた場所をタッチする。ユーザは、タッチした場所から指等をスライドさせると、スライドされた軌跡に沿って、領域５１０で選択した色を有する部分画像が、矢印の形状で痛み情報画像に付加される。領域５２１ａに表示される部分画像は、第１部分画像の一態様である。
【００６３】
領域５４０ａは、痛み情報画像に付加される部分画像の幅を表すラジオボタン及びチェックボックスである。ラジオボタンは領域５４０のラジオボタンと同じ機能を有する。チェックボックスは、痛み情報画像に付加される部分画像が、矢印の形状であるか否かを決定する。具体的には、チェックボックスにチェックがされている場合、痛み情報画像に付加される部分画像が、矢印の形状となる。ユーザが、入力部１０２を介して、領域５４０ａの“矢印”をタッチする場合、チェックマークが付加される。チェックマークが付加された場合、矢印の形状で痛み情報画像に部分画像が付加される。
【００６４】
このように構成された痛み記録システム１では、ユーザは、方向性を有する痛みを感じている場合には、痛みの種類に対応する色、痛みの程度等をタッチすることに加えて、“矢印”のチェックボックスをチェックする。次に、ユーザは、表示部１０３に表示される痛み情報画像に対して、痛みの場所を痛みの方向に沿って指でスライドする。スライドされた軌跡に沿って矢印の形状で痛みの種類と痛みの程度と痛みの広がる方向を示す部分画像が痛み情報画像に付加される。したがって、ユーザは、痛み及び強さだけでなく、痛みの生じた方向もより簡単に記録することができる。
【００６５】
図９は、痛みの程度をＶＡＳ（Visual Analogue Scale）で示した場合の一具体例を示す図である。第１端末装置１００の表示部１０３には、痛み情報を表す画像が表示される。痛み情報を表す画像は、領域５３０の代わりに領域５３０ｂを含む点で、図５の痛み情報を表す画像とは異なるが、それ以外は同じである。以下、図５と異なる点について説明する。
【００６６】
領域５３０ｂは、痛みの程度を表すＶＡＳである。ＶＡＳは、痛みの程度を表すゲージである。痛みの程度は０から１０までの数値で入力される。具体的には、０がまったく痛みがない状態を表す。１０が重篤な痛みであることを表す。ＶＡＳは、１０ｃｍ程度の長さで、表示されてもよい。
【００６７】
ユーザは、患部の痛みの程度に応じて、ＶＡＳをタッチする。例えば、ＶＡＳの左側（小）に近いほど、軽い痛みであることを表す。痛み情報生成部１１４は、タッチされたＶＡＳの位置に応じて、０から１０までの数値を決定（以下「痛み値」という。）する。痛み情報生成部１１４は、例えば、ＶＡＳの左側（小）に近いほど、痛み値を小さい値に決定する。痛み情報生成部１１４は、痛み値を、痛み情報に含める。履歴生成部１１６は、痛み値を経時的なグラフとして表示させてもよい。
【００６８】
このように構成された第１端末装置１００は、より詳細な痛みの程度を記憶することができる。したがって、ユーザは、さらに有効な緩和情報等の情報提供を受けることができる。
【００６９】
痛み情報管理サーバ２００の情報提供部２１１は、痛み情報に含まれる情報を電子カルテに追加してもよい。電子カルテは、痛み情報管理サーバ２００とは異なるサーバに記憶されてもよいし、痛み情報管理サーバ２００に記憶されていてもよい。このように構成された痛み記録システム１では、医師は、痛み情報が付加された電子カルテを参照することで、患者に対してより的確な診断を行うことができる。
【００７０】
痛み情報管理サーバ２００の情報提供部２１１は、痛み情報に含まれる情報を検診情報に追加してもよい。検診情報は、企業の従業員に対して行われる健康診断等の結果を示す情報である。検診情報は、痛み情報管理サーバ２００とは異なるサーバに記憶されてもよいし、痛み情報管理サーバ２００に記憶されていてもよい。このように構成された痛み記録システム１では、企業は、痛み情報を検診情報に追加することで、従業員の健康管理を適切に行ったり、人員配置の参考資料としたり、医師の受診を従業員に促したりできる。したがって、企業は、従業員の離職率や有病者を減らすことができる。
【００７１】
情報提供部２１１は、痛み情報に含まれる痛みの種類及び頻度（例えば、日数）に基づいて、疾患のリスクを決定してもよい。具体的には、情報提供部２１１は、複数の痛み情報に含まれる痛みの種類と頻度との相関関係（例えば、毎日、頭部に痛みがある）に基づいて、ユーザに疾患のリスクがあるため受診を促す旨の情報を含む緩和情報を生成してもよい。
【００７２】
第１端末装置１００の痛み情報生成部１１４は、睡眠計測器を介してユーザの睡眠習慣を取得してもよい。痛み情報生成部１１４は、取得した睡眠習慣を痛み情報に含めてもよい。情報提供部２１１は、睡眠習慣を含む痛み情報に基づいて、効果的な睡眠習慣を含む緩和情報を生成する。このように構成されることで、ユーザは、日常の睡眠習慣を改善でき、痛みを緩和することができる。
【００７３】
痛み情報生成部１１４は、入力部１０２を介して、ユーザの感情及び気持ち（以下「感情情報」という。）を受付けてもよい。痛み情報生成部１１４は、痛み情報に感情情報を含めて生成してもよい。このように構成されることで、ユーザは、痛み情報記憶部１０７に記憶された痛み情報を参照することで自身の感情の変化を知ることができる。したがって、ユーザは、医師の診察を受けた場合、自身の感情の変化をより具体的に説明することができ、医師は、疾患に対してより的確な診断を行うことができる。
【００７４】
痛み情報は、学生から得られた運動能力と学力との相関を算出するために使用されてもよい。例えば、大きな痛みを有する学生の運動能力があまり高くない場合、教員は、学生の痛みを緩和させることで、運動能力の向上をさせられると考えられる。このように痛み情報が使用されることで、教員は、適正な運動及び生活習慣や、学習指導を行うことができる。
【００７５】
痛み情報は、スポーツ選手から得られた競技成績と生活習慣との関係を推定するために使用されてもよい。例えば、大きな痛みを有するスポーツ選手の競技成績が伸び悩んでいる場合、トレーナーは、スポーツ選手の痛みを緩和させるようなトレーニングを導入することで、競技成績の改善を期待できると考えられる。このように痛み情報が使用されることで、トレーナーは、より効果的なトレーニングを提案することができる。
【００７６】
痛み記録システム１は、日本国外のユーザに使用されてもよい。このように使用される痛み記録システム１は、日本国外のユーザの痛み情報を収集することができる。したがって、医師は、日本人と外国人との人種差及び生活の環境因子の違いに基づく、痛み発生の関連性を調査することができる。また、ユーザは、多様な人種の痛み情報と比較することで、自分の置かれている状況を客観的に評価できる。
【００７７】
本実施形態では、痛み情報生成部１１４は、気象情報及び照度値を含む痛み情報を生成する。さらに、痛み情報生成部１１４は、睡眠習慣、ライフログ（例えば、歩行速度、体温、心拍数等）又は家族構成を痛み情報に含めてもよい。このように構成されることで、情報提供部２１１は、より高度な緩和情報を生成することができる。例えば、情報提供部２１１は、睡眠習慣を変えることによる痛み緩和方法を含む緩和情報を第１端末装置１００に通知してもよいし、家族構成に応じて、発生しやすい痛みに関する緩和情報を通知してもよい。
【００７８】
第１端末装置１００の痛み情報生成部１１４は、ユーザの活動情報に関するデータを痛み情報に含めることで痛み情報を生成してもよい。活動情報は、ユーザの歩行速度、歩数、ふらつき又は階段昇降等のユーザの活動量を示す情報である。第１端末装置１００は、自装置に内蔵されるセンサーから活動情報を取得してもよいし、専用の装置から活動情報を受信してもよい。情報提供部２１１は、活動情報が含まれる痛み情報に基づいて、体調管理に関する情報及び痛みの予測結果を緩和情報に含める。
【００７９】
第１端末装置１００は、痛み情報を痛み情報管理サーバ２００へ送信する場合、他者の痛み情報を取得できるように構成されてもよい。具体的には、第１端末装置１００は、痛み情報管理サーバ２００の痛み情報記憶部２０２から痛み情報を取得する。取得された痛み情報は、表示部１０３に表示される。このように構成されることで、ユーザは、他ユーザの痛み情報を取得し、ユーザと同じような痛みを有する他ユーザの処置を把握でき、痛みの緩和に繋げることができる。
【００８０】
上述した実施形態における第１端末装置１００、痛み情報管理サーバ２００及び第２端末装置３００をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ（Field Programmable Gate Array）等のプログラマブルロジックデバイスを用いて実現されるものであってもよい。
【００８１】
以上、この発明の実施形態について図面を参照して詳述してきたが、具体的な構成はこの実施形態に限られるものではなく、この発明の要旨を逸脱しない範囲の設計等も含まれる。
【産業上の利用可能性】
【００８２】
本発明は、ユーザ間で痛み情報を共有するソーシャルサービスに適用可能である。
【符号の説明】
【００８３】
１…痛み記録システム，  １００…第１端末装置，  １０１…通信部，  １０２…入力部，  １０３…表示部，  １０４…撮像部，  １０５…照度取得部，  １０６…人体画像記憶部，  １０７…痛み情報記憶部，  １１０…制御部，  １１１…痛み情報画像生成部，  １１２…気象情報取得部，  １１３…位置情報取得部，  １１４…痛み情報生成部，１１５…通知部，  １１６…履歴生成部，  ２００…痛み情報管理サーバ，  ２０１…通信部，  ２０２…痛み情報記憶部，  ２１０…制御部，  ２１１…情報提供部，  ３００…第２端末装置，  ３０１…通信部，  ３０２…入力部，  ３０３…表示部，  ３１０…制御部，  ３１１…痛み情報取得部，  ４００…ネットワーク
【図１】
2019010414.tif 000003
【図２】
2019010414.tif 000004
【図３】
2019010414.tif 000005
【図４】
2019010414.tif 000006
【図５】
2019010414.tif 000007
【図６】
2019010414.tif 000008
【図７】
2019010414.tif 000009
【図８】
2019010414.tif 000010
【図９】
2019010414.tif 000011